(57)【要約】【課題】アンテナ及びスピーカを効率的に配置することができる電子機器を提供する。【解決手段】電子機器１０は、スピーカ部４５と、スピーカ部４５のバックチャンバとして機能する空洞部４４ａが設けられた第１ボックス部４４を有し、本体筐体１４の内部で該本体筐体１４に対してフローティング可能な状態で固定されたフローティング部と、空洞部４０ａが設けられた第２ボックス部４０を有し、本体筐体１４の内部で該本体筐体１４に対してリジッドに固定され、第２ボックス部４０の少なくとも一部にアンテナ４１が形成されるリジッド部と、第１ボックス部４４と第２ボックス部４０とを振動緩衝部４６ａを介して連結し、空洞部４４ａと空洞部４０ａとを連通させた連結管４６と、を備える。【選択図】図３Ａ
2020095405.tif 000002
【特許請求の範囲】
【請求項１】
筐体を備えた電子機器であって、
スピーカ部と、該スピーカ部のバックチャンバとして機能する第１の空洞部が設けられた第１ボックス部とを有し、前記筐体の内部で該筐体に対してフローティング可能な状態で固定されたフローティング部と、
第２の空洞部が設けられた第２ボックス部を有し、前記筐体の内部で該筐体に対してリジッドに固定され、前記第２ボックス部の少なくとも一部にアンテナが形成されるリジッド部と、
前記第１ボックス部と前記第２ボックス部とを振動緩衝部を介して連結し、前記第１の空洞部と前記第２の空洞部とを連通させた連結管と、を備えることを特徴とする電子機器。
【請求項２】
請求項１に記載の電子機器であって、
前記連結管は、ゴム弾性を有する材料で形成され、前記振動緩衝部の機能を含むことを特徴とする電子機器。
【請求項３】
請求項１又は２に記載の電子機器であって、
前記筐体の外壁は、電波透過性材料で形成された電波透過部と、導電性材料で形成された導電部と、を有し、
前記アンテナは、前記電波透過部に面して配置されると共に、前記導電部と電気的に接続されていることを特徴とする電子機器。
【請求項４】
請求項３に記載の電子機器であって、
前記リジッド部は、前記筐体の外壁に沿って配置されており、
前記リジッド部は、前記第２ボックス部の前記アンテナが形成されていない面に、電磁波ノイズをシールド可能な材料で形成されたシールド壁を有することを特徴とする電子機器。
【請求項５】
請求項３又は４に記載の電子機器であって、
前記第２ボックス部の表面の一部には、電磁波ノイズをシールド可能な材料で形成されたシールド部材が設けられると共に、該シールド部材は前記筐体の内面に接触していることを特徴とする電子機器。
【請求項６】
請求項１〜５のいずれか１項に記載の電子機器であって、
前記筐体の内部に設けられる高音用スピーカをさらに有し、
前記スピーカ部、前記フローティング部、前記リジッド部、及び前記連結管は、低音用スピーカとして機能することを特徴とする電子機器。
【発明の詳細な説明】
【技術分野】
【０００１】
本発明は、アンテナ及びスピーカを備えた電子機器に関する。
【背景技術】
【０００２】
ノートブック型パーソナルコンピュータ（ノート型ＰＣ）のような電子機器は、ＷＷＡＮ（Wireless  Wide  Area  Network）やＷＬＡＮ（Wireless  Local  Area  Network）等の各種無線通信のアンテナを搭載している（例えば特許文献１参照）。さらに、このような電子機器は、音楽や音声等の出力用のスピーカを搭載している（例えば特許文献２参照）。
【先行技術文献】
【特許文献】
【０００３】
【特許文献１】特開２０１３−１６２４１３号公報
【特許文献２】特開２０１４−１３９７０号公報
【発明の概要】
【発明が解決しようとする課題】
【０００４】
ところで、上記のような電子機器の筐体は、その小型化及び薄型化が急速に進んでいるため、アンテナやスピーカの設置スペースを十分に確保することが難しい。
【０００５】
すなわち、アンテナは、薄型化が容易である反面、電波透過性材料に面して配置される必要がある。また、アンテナは、安定したグランドや他の電子部品に対する安定した電磁波シールド性能を確保するため、筐体に対してリジッドに固定される必要がある。一方、スピーカは、特に低音用では、バックチャンバとして機能する大きな空洞部が必要となる。また、スピーカは、駆動時に振動するため、筐体や他の部品に振動を伝達しない必要があり、通常、ゴムブッシュ等を用いたフローティング状態で筐体に支持される。
【０００６】
従って、上記のような電子機器では、アンテナ及びスピーカを筐体の内部で効率的に配置しつつ、通信品質や高音質を確保できる構成が望まれている。
【０００７】
本発明は、上記従来技術の課題を考慮してなされたものであり、アンテナ及びスピーカを効率的に配置することができる電子機器を提供することを目的とする。
【課題を解決するための手段】
【０００８】
本発明の第１態様に係る電子機器は、筐体を備えた電子機器であって、スピーカ部と、該スピーカ部のバックチャンバとして機能する第１の空洞部が設けられた第１ボックス部とを有し、前記筐体の内部で該筐体に対してフローティング可能な状態で固定されたフローティング部と、第２の空洞部が設けられた第２ボックス部を有し、前記筐体の内部で該筐体に対してリジッドに固定され、前記第２ボックス部の少なくとも一部にアンテナが形成されるリジッド部と、前記第１ボックス部と前記第２ボックス部とを振動緩衝部を介して連結し、前記第１の空洞部と前記第２の空洞部とを連通させた連結管と、を備える。
【０００９】
このような構成によれば、フローティング部の第１の空洞部と共に、リジッド部の第２の空洞部及び連結管が、スピーカ部のバックチャンバとして機能する。このため、当該電子機器が小型且つ薄型の筐体で構成されたとしても、その内部において、スピーカ部のバックチャンバの容積を大容量とすることができ、音質が向上する。この際、当該電子機器は、スピーカに比べて薄く構成できるアンテナに重なる空間（デッドスペース）に第２ボックス部を設け、これをスピーカ部のバックチャンバとして利用しているため、筐体内のスペースの利用効率が向上する。しかも、当該電子機器は、フローティング状態で固定されたフローティング部とリジッドに固定されたリジッド部との間に振動緩衝部を有する。このため、スピーカ部の振動がアンテナを設けたリジッド部や本体筐体等に伝達されることを抑制できる。
【００１０】
前記連結管は、ゴム弾性を有する材料で形成され、前記振動緩衝部の機能を含む構成としてもよい。そうすると、連結管の他に別途振動緩衝部を設ける構成に比べて連結管及びその周辺部の構成を簡素化することができる。
【００１１】
前記筐体の外壁は、電波透過性材料で形成された電波透過部と、導電性材料で形成された導電部と、を有し、前記アンテナは、前記電波透過部に面して配置されると共に、前記導電部と電気的に接続された構成としてもよい。そうすると、アンテナの通信品質が向上する。しかも筐体の一部に設けられた導電部がアンテナの一部として機能することで、アンテナの通信品質が一層向上する。
【００１２】
前記リジッド部は、前記筐体の外壁に沿って配置されており、前記リジッド部は、前記第２ボックス部の前記アンテナが形成されていない面に、電磁波ノイズをシールド可能な材料で形成されたシールド壁を有する構成としてもよい。そうすると、電子機器の筐体内に搭載された電磁波発生源となる他の電子部品からの電磁波がアンテナに悪影響を及ぼすことを抑制できる。
【００１３】
前記第２ボックス部の表面の一部には、電磁波ノイズをシールド可能な材料で形成されたシールド部材が設けられると共に、該シールド部材は前記筐体の内面に接触した構成としてもよい。そうすると、電子機器の筐体内に搭載された電磁波発生源となる他の電子部品からの電磁波がアンテナに悪影響を及ぼすことを抑制できる。
【００１４】
前記筐体の内部に設けられる高音用スピーカをさらに有し、前記スピーカ部、前記フローティング部、前記リジッド部、及び前記連結管は、低音用スピーカとして機能する構成としてもよい。そうすると、各種スピーカのうちで最も大きなチャンバ容積を必要とする低音用スピーカのチャンバ容積を、アンテナを設けたリジッド部のボックス部を利用して効率的に拡大することができる。
【発明の効果】
【００１５】
本発明の上記態様によれば、電子機器の筐体の内部でアンテナ及びスピーカを効率的に配置することができる。
【図面の簡単な説明】
【００１６】
【図１】図１は、一実施形態に係る電子機器の平面図である。
【図２】図２は、本体筐体の内部構造を模式的に示す底面図である。
【図３Ａ】図３Ａは、リジッド部及びフローティング部を本体筐体の底面側から見た状態での模式的な斜視図である。
【図３Ｂ】図３Ｂは、リジッド部及びフローティング部を本体筐体の上面側から見た状態での模式的な斜視図である。
【図４】図４は、リジッド部及びフローティング部の模式的な平面断面図である。
【図５Ａ】図５Ａは、図３Ａに示すリジッド部にシールド部材を装着した状態での模式的な斜視図である。
【図５Ｂ】図５Ｂは、図３Ｂに示すリジッド部にシールド部材を装着した状態での模式的な斜視図である。
【図６Ａ】図６Ａは、図２中のＶＩＡ−ＶＩＡ線に沿う本体筐体の模式的な断面図である。
【図６Ｂ】図６Ｂは、図２中のＶＩＢ−ＶＩＢ線に沿う本体筐体の模式的な断面図である。
【図７】図７は、リジッド部及びフローティング部を上カバーの内面に取り付けた状態を模式的に示した断面図である。
【図８】図８は、変形例に係る連結管でフローティング部とリジッド部とを連結した構成を示す平面図である。
【発明を実施するための形態】
【００１７】
以下、本発明に係る電子機器について好適な実施の形態を挙げ、添付の図面を参照しながら詳細に説明する。
【００１８】
図１は、一実施形態に係る電子機器１０の平面図である。本実施形態では、電子機器１０としてノート型ＰＣを例示する。電子機器１０は、デスクトップ型ＰＣやタブレット型ＰＣ等でもよい。
【００１９】
図１に示すように、電子機器１０は、キーボード装置１２を有する本体筐体１４と、ディスプレイ装置１６を有するディスプレイ筐体１８とを備える。ディスプレイ筐体１８は、本体筐体１４の後端部に対して左右一対のヒンジ２０，２０を介して回動可能に連結されている。ディスプレイ装置１６は、例えば液晶ディスプレイである。
【００２０】
図１は、ヒンジ２０によってディスプレイ筐体１８を本体筐体１４から開いて使用形態とした電子機器１０を上から見下ろした図である。以下、図１に示す使用形態とされた電子機器１０のディスプレイ装置１６を正面から視認する方向を基準とし、本体筐体１４について手前側を前、奥側を後、厚み方向を上下、幅方向を左右と呼んで説明する。また、本体筐体１４やこれに搭載される各部品について、本体筐体１４を平面的に見た状態で、外周側よりも中央側を内側、中央側よりも外周側を外側と呼んで説明する。なお、これらの方向は説明の便宜上のものである。従って、製品での各部品の配置や設置姿勢等により、例えば上記の上下方向や左右方向が反転することもある。
【００２１】
本体筐体１４は、上カバー２２と、下カバー２４とで形成された薄い箱状の筐体である。上カバー２２は、本体筐体１４の上面及び四周側面を構成したプレート状部材である。下カバー２４は、本体筐体１４の底面を構成したプレート状部材である。
【００２２】
図２は、本体筐体１４の内部構造を模式的に示す底面図であり、下カバー２４を取り外して本体筐体１４内を上カバー２２の内面側から見た図である。
【００２３】
図２に示すように、本体筐体１４の内部には、電子回路基板２６と、バッテリ装置２８と、左右一対のリジッド部３０Ｌ，３０Ｒと、左右一対のアンテナ３２Ｌ，３２Ｒと、左右一対のフローティング部３４Ｌ，３４Ｒと、左右一対の高音用スピーカ３６Ｌ，３６Ｒとが収納されている。本体筐体１４の内部には、さらに、図示しない冷却モジュールやハードディスク装置等が収納されている。図２中の参照符号３８は、ヒンジ２０が配置される凹状部である。
【００２４】
電子回路基板２６は、当該電子機器１０のマザーボードである。電子回路基板２６は、例えばＣＰＵ２６ａ、電源回路２６ｂ、メモリ２６ｃ等の各種電子部品が実装されたＰＣＢ（プリント基板）である。
【００２５】
リジッド部３０Ｌ，３０Ｒ（以下、まとめて「リジッド部３０」とも呼ぶ）は、例えばＷＷＡＮの無線通信標準規格に準拠したアンテナ４１の取付台となる。リジッド部３０は、平面視略Ｌ字状の第２ボックス部４０を有する。アンテナ４１は、図示しないアンテナ基板等と共に第２ボックス部４０の表面に取り付けられている。左側のリジッド部３０Ｌは、上カバー２２の前壁２２ａと左側の外壁２２ｂとの角部に沿って配置されている。右側のリジッド部３０Ｒは、上カバー２２の前壁２２ａと右側の外壁２２ｃとの角部に沿って配置されている。リジッド部３０は、上カバー２２に対してリジッドに固定されている。
【００２６】
アンテナ３２Ｌ，３２Ｒは、例えばＷＬＡＮの無線通信標準規格に準拠したアンテナである。アンテナ３２Ｌ，３２Ｒは、左右の凹状部３８，３８間となる位置で上カバー２２の後壁２２ｄに沿って配置されている。アンテナ３２Ｌ，３２Ｒは、上カバー２２に対してリジッドに固定されている。
【００２７】
フローティング部３４Ｌ，３４Ｒ（以下、まとめて「フローティング部３４」とも呼ぶ）は、リジッド部３０及び後述する連結管４６と共に低音の出力に適した低音用スピーカ（ウーファー）のバックチャンバ（スピーカボックス）を形成する。フローティング部３４は、平面視矩形状の第１ボックス部４４と、スピーカ部４５とを有する。左側のフローティング部３４Ｌは、左側のリジッド部３０ＬのＬ字の内側となる位置に配置されている。右側のフローティング部３４Ｒは、右側のリジッド部３０ＲのＬ字の内側となる位置に配置されている。フローティング部３４は、上カバー２２に対してフローティング可能な状態で固定されている。
【００２８】
高音用スピーカ３６Ｌ，３６Ｒは、高音の出力に適したツイーターである。左側の高音用スピーカ３６Ｌは、左側のアンテナ３２Ｌの左側に並んで配置され、右側の高音用スピーカ３６Ｒは、右側のアンテナ３２Ｒの右側に並んで配置されている。高音用スピーカ３６Ｌ，３６Ｒは、上カバー２２に対してフローティング可能な状態で固定されている。このように、当該電子機器１０のスピーカシステムは、上記したスピーカ部４５やフローティング部３４Ｌ，３４Ｒ等で構成される左右の低音用スピーカと、高音用スピーカ３６Ｌ，３６Ｒとを備えた２ウェイ４スピーカの構成である。
【００２９】
次に、リジッド部３０及びフローティング部３４の具体的な構成を説明する。図３Ａは、リジッド部３０Ｌ及びフローティング部３４Ｌを本体筐体１４の底面側から見た状態での模式的な斜視図である。図３Ｂは、リジッド部３０Ｌ及びフローティング部３４Ｌを本体筐体１４の上面側から見た状態での模式的な斜視図である。図４は、リジッド部３０Ｌ及びフローティング部３４Ｌの模式的な平面断面図である。なお、図３Ａ〜図４、及び後述する図５Ａ等では、左側のリジッド部３０Ｌ及びフローティング部３４Ｌを代表的に図示しているが、右側のリジッド部３０Ｒ及びフローティング部３４Ｒは左側のものと左右対称構造である以外は同一の構成である。
【００３０】
図３Ａ、図３Ｂ及び図４に示すように、リジッド部３０及びフローティング部３４は、連結管４６で連結されている。リジッド部３０は、第２ボックス部４０と、アンテナ４１と、取付片３０ａ，３０ｂとを有する。
【００３１】
第２ボックス部４０は、例えば樹脂製であり、断面三角形状の筒体を平面視略Ｌ字状に形成した箱体である。第２ボックス部４０は、前後方向に沿って配置される第１筒部４８と、左右方向に沿って配置される第２筒部４９とを有する。第２ボックス部４０の内部には、第１筒部４８から第２筒部４９までの略全長に亘って延びた空洞部４０ａが形成されている。空洞部４０ａは、連結管４６のみが開口した閉鎖空間であり、連結管４６と共にスピーカ部４５のバックチャンバとして機能する。
【００３２】
第１筒部４８は、取付面４８ａと、内壁面４８ｂと、傾斜面４８ｃとを有する。取付面４８ａは、上カバー２２の内面（下面）２２ｅに対向配置される前後左右方向の水平面である（図６Ａ及び図６Ｂ参照）。内壁面４８ｂは、フローティング部３４の外壁面４４ｂに対向配置される前後上下方向の鉛直面である。傾斜面４８ｃは、取付面４８ａの外側端部と内壁面４８ｂの下端部とを繋ぐように傾斜した面であり、本体筐体１４内で内側から外側に向かって次第に上へと傾斜している。第２筒部４９は、取付面４９ａと、内壁面４９ｂと、傾斜面４９ｃとを有する。取付面４９ａは、上カバー２２の内面２２ｅに対向配置される前後左右方向の水平面である（図６Ａ及び図６Ｂ参照）。内壁面４９ｂは、フローティング部３４の前壁面４４ｃに対向配置される左右上下方向の鉛直面である。傾斜面４９ｃは、取付面４９ａの外側端部と内壁面４９ｂの下端部とを繋ぐように傾斜した面であり、本体筐体１４内で内側から外側に向かって次第に上へと傾斜している。
【００３３】
アンテナ４１は、電波を送受信する装置であり、各筒部４８，４９の取付面４８ａ，４９ａに亘って設けられている。アンテナ４１は、例えばめっきや印刷によって取付面４８ａ，４９ａに形成されたアンテナパターン（アンテナ素子）を有する。アンテナ４１は、図示しないアンテナ基板や配線を介して電子回路基板２６に接続されている。
【００３４】
取付片３０ａ，３０ｂは、リジッド部３０を上カバー２２の内面２２ｅに固定する部分である。取付片３０ａ，３０ｂには、ねじ５４（図７参照）が挿通される取付孔３０ｃが形成されている。図７に示すように、リジッド部３０は、例えば上カバー２２の内面２２ｅに形成された硬質のボス５６に対してリジッドな状態で固定される。ねじ５４は、リジッド部３０のグランドとしても機能する。
【００３５】
図３Ａ、図３Ｂ及び図４に示すように、フローティング部３４は、第１ボックス部４４と、スピーカ部４５と、取付片３４ａ，３４ｂとを有する。フローティング部３４は、リジッド部３０のＬ字の内側のデッドスペースに配置されている。
【００３６】
スピーカ部４５は、磁石、コイル及びコーン等で構成された音の発生部である。第１ボックス部４４は、例えば樹脂製の直方体状の箱体である。第１ボックス部４４の内部には、空洞部４４ａが形成されている。空洞部４４ａは、連結管４６のみが開口した閉鎖空間であり、スピーカ部４５のバックチャンバとして機能する。
【００３７】
取付片３４ａ，３４ｂは、フローティング部３４を上カバー２２の内面２２ｅに固定する部分である。取付片３４ａ，３４ｂには、ねじ５８（図７参照）が挿通される取付孔３４ｃが形成されている。フローティング部３４は、図７に示すように、例えば上カバー２２の内面２２ｅとの間に軟質のゴムブッシュ５９を設けたフローティング状態で内面２２ｅに固定される。
【００３８】
図３Ａ、図３Ｂ及び図４に示すように、連結管４６は、第２ボックス部４０の内壁面４８ｂと第１ボックス部４４の外壁面４４ｂとを連結し、両者の空洞部４０ａ，４４ａ同士を連通させた管路である。連結管４６は、例えばゴムや熱可塑性エラストマー、樹脂、ゲル材のような柔軟性を持った材料で形成されたチューブである。連結管４６は、柔軟性の観点からゴム弾性を有することがより好ましい。ゴム弾性を有する材料としては、例えば、シリコーンゴム、クロロプレンゴム、エチレンプロピレンゴムなどである。これにより、連結管４６は、空洞部４０ａ，４４ａ間を連通させつつ、第２ボックス部４０と第１ボックス部４４との間での振動の伝達を抑制する振動緩衝部４６ａとしても機能する。
【００３９】
本実施形態の連結管４６は、ゴムチューブである。連結管４６は、内壁面４８ｂから突出した角筒状のポート４０ｂと、外壁面４４ｂから突出した角筒状のポート４４ｄとにそれぞれ外挿されている（図４参照）。連結管４６は、内壁面４８ｂや外壁面４４ｂに直接的に接着固定等されてもよい。
【００４０】
従って、フローティング部３４の空洞部４４ａは、連結管４６を介して第２ボックス部４０の空洞部４０ａに連通した大きな閉鎖空間を形成している。このため、フローティング部３４の空洞部４４ａと、リジッド部３０の空洞部４０ａと、連結管４６とが、スピーカ部４５のバックチャンバとして機能する。しかも連結管４６は、振動緩衝部４６ａとして機能する。このため、上カバー２２にフローティング可能な状態で支持されたフローティング部３４の振動が、上カバー２２にリジッドに固定されたリジッド部３０に伝達されることが防止される。
【００４１】
次に、リジッド部３０及びフローティング部３４の具体的な取付構造を説明する。図５Ａは、図３Ａに示すリジッド部３０Ｌにシールド部材６０を装着した状態での模式的な斜視図である。図５Ｂは、図３Ｂに示すリジッド部３０Ｌにシールド部材６０を装着した状態での模式的な斜視図である。図６Ａは、図２中のＶＩＡ−ＶＩＡ線に沿う本体筐体１４の模式的な断面図である。図６Ｂは、図２中のＶＩＢ−ＶＩＢ線に沿う本体筐体１４の模式的な断面図である。図７は、リジッド部３０Ｌ及びフローティング部３４Ｌを上カバー２２の内面２２ｅに取り付けた状態を模式的に示した断面図である。
【００４２】
図５Ａ〜図６Ｂに示すように、リジッド部３０は、シールド部材６０及びシールド壁６２を有する。
【００４３】
シールド部材６０は、電磁波ノイズをシールド可能であって、且つ柔軟性を有する材料、例えば導電性スポンジ状部材で形成されている。導電性スポンジ状部材としては、例えば、銅に錫めっきを施した材料で形成したスポンジや、ポリエチレン等の樹脂にカーボンを練り込んだスポンジ等を挙げられる。
【００４４】
シールド部材６０は、幅狭な帯状に形成され、第２ボックス部４０の表面の各所に貼り付けられている。具体的には、シールド部材６０は、図５Ａに示すように、内壁面４８ｂ，４９ｂに沿った傾斜面４８ｃ，４９ｃの縁部と、各傾斜面４８ｃ，４９ｃの先端の縁部とに貼り付けられている。シールド部材６０は、さらに、図５Ｂに示すように、内壁面４８ｂ，４９ｂに沿った取付面４８ａ，４９ａの縁部と、各取付面４８ａ，４９ａの先端の縁部とに貼り付けられている。
【００４５】
シールド壁６２は、電磁波ノイズをシールド可能な材料、例えば導電性を持った金属板で形成されている。シールド壁６２は、第２ボックス部４０のアンテナが形成されていない面に設けられる。本実施形態の場合、シールド壁６２は、各内壁面４８ｂ，４９ｂにおける連結管４６の連結部分を除く略全面に貼り付けられている（図４参照）。内壁面４８ｂ，４９ｂを導電体で構成することで、シールド壁６２を形成してもよい。
【００４６】
図６Ａ及び図６Ｂに示すように、本体筐体１４は、リジッド部３０及びフローティング部３４が設置される部分に、電波透過部６４，６５と、導電部６６と、シールド接触板６８，６９とを有する。
【００４７】
本実施形態の場合、上カバー２２及び下カバー２４の大部分は、マグネシウム等の金属板で構成されている。電波透過部６４，６５は、これらカバー２２，２４の前端角部及びその周辺に設けられ、平面視で少なくともリジッド部３０と重なる位置に設けられている。電波透過部６４，６５は、樹脂等の電波透過性材料で形成され、アンテナ４１が送受信する電波を透過させる部分である。
【００４８】
電波透過部６４は、上カバー２２の取付面４８ａ，４９ａと対向する位置に設けられている。これにより取付面４８ａ，４９ａに設けられたアンテナ４１は、電波透過部６４を通して本体筐体１４の上方から電波の送受信を行うことができる。電波透過部６５は、下カバー２４の傾斜面４８ｃ，４９ｃと対向する位置に設けられている。これにより取付面４８ａ，４９ａに設けられたアンテナ４１は、第２ボックス部４０及び電波透過部６５を通して本体筐体１４の下方からも電波の送受信を行うことができる。
【００４９】
導電部６６は、上カバー２２の前壁２２ａから外壁２２ｂ（２２ｃ）に亘って設けられている。つまり導電部６６は、本体筐体１４の前端角部の側面に設けられている。導電部６６は、例えば銅やアルミニウム等の高い導電率を有する金属で形成されている。導電部６６には、上カバー２２の内面２２ｅに沿って延びたヒレ状の端子板６６ａが形成されている。リジッド部３０の取付面４９ａには、アンテナ４１と電気的に接続されたスプリング端子４１ａが突設されている。スプリング端子４１ａは、先端が湾曲したフック状の板ばねであり、リジッド部３０が本体筐体１４内に設置された場合に、端子板６６ａに対して弾性付勢された状態で接触する。
【００５０】
シールド接触板６８，６９は、例えば銅やアルミニウム等の高い導電率を有する金属で形成された薄板である。シールド接触板６８は、リジッド部３０の取付面４８ａ，４９ａに設けられたシールド部材６０と接触するように上カバー２２の内面２２ｅに設けられている。シールド接触板６９は、リジッド部３０の傾斜面４８ｃ，４９ｃに設けられたシールド部材６０と接触するように下カバー２４の内面２４ａに設けられている。つまり、シールド部材６０は、シールド接触板６８，６９を介して本体筐体１４の内面２２ｅ，２４ａと接触している。この際、シールド部材６０は、柔軟性を有する構成のため、シールド接触板６８，６９に対して確実に密着する。なお、図６Ａ及び図６Ｂでは図示していないが、シールド接触板６９は、傾斜面４８ｃの後端縁部及び傾斜面４９ｃの側端縁部に沿って傾斜するように設けられたシールド部材６０に接触する部分に対しては、例えば内面２４ａに設けられた図示しない傾斜面に取り付けられることで、シールド部材６０と確実に密着可能となっている。
【００５１】
従って、リジッド部３０は、ＣＰＵ２６ａ等の電磁波発生源に対してアンテナ４１がシールド部材６０及びシールド壁６２によって電磁波シールドされた状態で本体筐体１４の内部に設置されている。さらにアンテナ４１は、スプリング端子４１ａを介して導電部６６と電気的に接続されることで、本体筐体１４の一部、つまり導電部６６もアンテナ素子として機能させることができ、通信品質が向上する。
【００５２】
以上のように、当該電子機器１０において、フローティング部３４は、その振動を本体筐体１４や他の部品に伝達しないために、本体筐体１４に対してフローティング可能な状態で固定されている。また、リジッド部３０は、ねじ５４による安定したグランドの維持、電子回路基板２６との接続状態の維持、シールド部材６０のシールド接触板６８，６９との接触状態の維持、さらに導電部６６との接続状態の維持等のため、本体筐体１４に対してリジッドに固定されている。そして、リジッド部３０における第２ボックス部４０の空洞部４０ａと、フローティング部３４における第１ボックス部４４の空洞部４４ａとが、振動緩衝部４６ａを介した連結管４６で連通されている。
【００５３】
従って、当該電子機器１０では、第１ボックス部４４の空洞部４４ａ、第２ボックス部４０の空洞部４０ａ、及び連結管４６が、スピーカ部４５のバックチャンバとして機能する。このため、当該電子機器１０は、小型且つ薄型の本体筐体１４の内部において、スピーカ部４５のバックチャンバの容積を大容量とすることができ、音質が向上する。この際、当該電子機器１０は、スピーカ部４５を搭載したフローティング部３４に比べて薄く構成できるアンテナ４１に重なる空間（デッドスペース）に第２ボックス部４０を設け、これをスピーカ部４５のバックチャンバとして利用している。このため、デッドスペースを有効に利用してスピーカ部４５のバックチャンバを拡張しており、スペースの利用効率が高い。しかも、当該電子機器１０は、フローティング状態で固定されたフローティング部３４とリジッドな状態で固定されたリジッド部３０とが、振動緩衝部４６ａを介して連結管４６で連結されている。このため、スピーカ部４５を搭載したフローティング部３４の振動がリジッド部３０や本体筐体１４等に伝達されることを抑制できる。
【００５４】
本実施形態では、連結管４６がゴム弾性を有する材料で形成されることで、連結管４６自体が振動緩衝部４６ａとしての機能を備えた構成を例示したが、図８に示すように、硬質の連結管７０を用いた構成としてもよい。図８は、変形例に係る連結管７０でフローティング部３４とリジッド部３０とを連結した構成を示す平面図である。図８では、取付片３０ａ，３０ｂ，３４ａ，３４ｂの図示を省略している。
【００５５】
図８に示す連結管７０は、硬質の金属や樹脂で形成された筒体である。連結管７０は、一端が振動緩衝部７１を用いて第１ボックス部４４の外壁面４４ｂと連結され、他端が振動緩衝部７２を用いて第２ボックス部４０の内壁面４８ｂと連結されている。振動緩衝部７１，７２は、例えばゴム製のＯリングやゴムチューブである。このような連結管７０は、それ自体は硬質であって振動緩衝機能を持たないが、その端部が振動緩衝部７１，７２を介して第１ボックス部４４及び第２ボックス部４０と連結されているため、第１ボックス部４４の振動が第２ボックス部４０に伝達されることを抑制できる。振動緩衝部７１，７２は、一方のみで構成されてもよい。
【００５６】
なお、本発明は、上記した実施形態に限定されるものではなく、本発明の主旨を逸脱しない範囲で自由に変更できることは勿論である。
【００５７】
上記実施形態では、スピーカ部４５やフローティング部３４Ｌ，３４Ｒで構成された低音用スピーカと、高音用スピーカ３６Ｌ，３６Ｒとを備えた４スピーカのうち、低音用スピーカとなるフローティング部３４に隣接配置されたリジッド部３０に第２ボックス部４０を備え、この第２ボックス部４０を第１ボックス部４４と連結することで第１ボックス部４４のチャンバ容積を拡大している。しかしながら、いずれのスピーカのスピーカボックスのチャンバ容積をリジッド部３０によって拡大するかは適宜変更可能である。また、リジッド部３０、フローティング部３４、アンテナ３２Ｌ，３２Ｒ、スピーカ３６Ｌ，３６Ｒの配置等も適宜変更可能である。また、スピーカ部４５やフローティング部３４は、低音用でなく、例えばフルレンジ用のスピーカを構成してもよい。
【００５８】
上記実施形態では、平面視Ｌ字状の第２ボックス部４０を例示したが、第２ボックス部４０の形状は他の形状、例えば平面視矩形状等でもよい。また、第２ボックス部４０の断面形状、つまり空洞部４０ａの断面形状も三角形状以外、例えば矩形状や円形状等でもよい。同様に第１ボックス部４４の形状も適宜変更可能である。
【００５９】
上記実施形態では、本体筐体１４にリジッド部３０、フローティング部３４、アンテナ３２Ｌ，３２Ｒ、スピーカ３６Ｌ，３６Ｒを搭載した構成を例示したが、これらの全部又は一部はディスプレイ筐体１８に搭載されてもよい。
【符号の説明】
【００６０】
１０  電子機器
１４  本体筐体
２２  上カバー
２２ｅ，２４ａ  内面
２４  下カバー
３０Ｌ，３０Ｒ  リジッド部
３４Ｌ，３４Ｒ  フローティング部
３６Ｌ，３６Ｒ  高音用スピーカ
４０  第２ボックス部
４０ａ，４４ａ  空洞部
４１  アンテナ
４４  第１ボックス部
４５  スピーカ部
４６，７０  連結管
４６ａ，７１，７２  振動緩衝部
６０  シールド部材
６２  シールド壁
６４，６５  電波透過部
６６  導電部
【図１】
2020095405.tif 000003
【図２】
2020095405.tif 000004
【図３Ａ】
2020095405.tif 000005
【図３Ｂ】
2020095405.tif 000006
【図４】
2020095405.tif 000007
【図５Ａ】
2020095405.tif 000008
【図５Ｂ】
2020095405.tif 000009
【図６Ａ】
2020095405.tif 000010
【図６Ｂ】
2020095405.tif 000011
【図７】
2020095405.tif 000012
【図８】
2020095405.tif 000013
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
筐体を備えた電子機器であって、
スピーカ部と、該スピーカ部のバックチャンバとして機能する第１の空洞部が設けられた第１ボックス部とを有し、前記筐体の内部で該筐体に対してフローティング可能な状態で固定されたフローティング部と、
第２の空洞部が設けられた第２ボックス部を有し、前記筐体の内部で該筐体に対してリジッドに固定され、前記第２ボックス部の少なくとも一部にアンテナが形成されるリジッド部と、
前記第１ボックス部と前記第２ボックス部とを振動緩衝部を介して連結し、前記第１の空洞部と前記第２の空洞部とを連通させた連結管と、を備え、
前記連結管は、ゴム弾性を有する材料で形成され、前記振動緩衝部の機能を含むことを特徴とする電子機器。
【請求項２】
筐体を備えた電子機器であって、
スピーカ部と、該スピーカ部のバックチャンバとして機能する第１の空洞部が設けられた第１ボックス部とを有し、前記筐体の内部で該筐体に対してフローティング可能な状態で固定されたフローティング部と、
第２の空洞部が設けられた第２ボックス部を有し、前記筐体の内部で該筐体に対してリジッドに固定され、前記第２ボックス部の少なくとも一部にアンテナが形成されるリジッド部と、
前記第１ボックス部と前記第２ボックス部とを振動緩衝部を介して連結し、前記第１の空洞部と前記第２の空洞部とを連通させた連結管と、を備え、
前記筐体の内部に設けられる高音用スピーカをさらに有し、
前記スピーカ部、前記フローティング部、前記リジッド部、及び前記連結管は、低音用スピーカとして機能することを特徴とする電子機器。
【請求項３】
請求項１又は２に記載の電子機器であって、
前記筐体の外壁は、電波透過性材料で形成された電波透過部と、導電性材料で形成された導電部と、を有し、
前記アンテナは、前記電波透過部に面して配置されると共に、前記導電部と電気的に接続されていることを特徴とする電子機器。
【請求項４】
筐体を備えた電子機器であって、
スピーカ部と、該スピーカ部のバックチャンバとして機能する第１の空洞部が設けられた第１ボックス部とを有し、前記筐体の内部で該筐体に対してフローティング可能な状態で固定されたフローティング部と、
第２の空洞部が設けられた第２ボックス部を有し、前記筐体の内部で該筐体に対してリジッドに固定され、前記第２ボックス部の少なくとも一部にアンテナが形成されるリジッド部と、
前記第１ボックス部と前記第２ボックス部とを振動緩衝部を介して連結し、前記第１の空洞部と前記第２の空洞部とを連通させた連結管と、を備え、
前記筐体の外壁は、電波透過性材料で形成された電波透過部と、導電性材料で形成された導電部と、を有し、
前記アンテナは、前記電波透過部に面して配置されると共に、前記導電部と電気的に接続されており、
前記リジッド部は、前記筐体の外壁に沿って配置されており、
前記リジッド部は、前記第２ボックス部の前記アンテナが形成されていない面に、電磁波ノイズをシールド可能な材料で形成されたシールド壁を有することを特徴とする電子機器。
【請求項５】
請求項３又は４に記載の電子機器であって、
前記第２ボックス部の表面の一部には、電磁波ノイズをシールド可能な材料で形成されたシールド部材が設けられると共に、該シールド部材は前記筐体の内面に接触していることを特徴とする電子機器。
【請求項６】
筐体を備えた電子機器であって、
スピーカ部と、該スピーカ部のバックチャンバとして機能する第１の空洞部が設けられた第１ボックス部とを有し、前記筐体の内部で該筐体に対してフローティング可能な状態で固定されたフローティング部と、
第２の空洞部が設けられた第２ボックス部を有し、前記筐体の内部で該筐体に対してリジッドに固定され、前記第２ボックス部の少なくとも一部にアンテナが形成されるリジッド部と、
前記第１ボックス部と前記第２ボックス部とを振動緩衝部を介して連結し、前記第１の空洞部と前記第２の空洞部とを連通させた連結管と、を備え、
前記筐体の外壁は、電波透過性材料で形成された電波透過部と、導電性材料で形成された導電部と、を有し、
前記アンテナは、前記電波透過部に面して配置されると共に、前記導電部と電気的に接続されており、
前記第２ボックス部の表面の一部には、電磁波ノイズをシールド可能な材料で形成されたシールド部材が設けられると共に、該シールド部材は前記筐体の内面に接触していることを特徴とする電子機器。